(57)【特許請求の範囲】
【請求項１】
対向する第１側及び第２側を有するフレキシブル回路基板と、
前記フレキシブル回路基板に設置され前記第１側に近接する複数の発光ダイオードと、
前記フレキシブル回路基板に設置され前記第２側に近接する複数の第１光吸収部と、を備え、前記第１光吸収部がそれぞれ２つの隣接する発光ダイオードの間に設置される光源モジュール。
【請求項２】
対向する第１側及び第２側を有するフレキシブル回路基板と、
前記フレキシブル回路基板に設置され前記第１側に近接する複数の発光ダイオードと、
前記フレキシブル回路基板に設置され前記第２側に近接する複数の第１光吸収部と、を備え、前記第１光吸収部がそれぞれ２つの隣接する発光ダイオードの間に設置され、かつ、
前記第１光吸収部と前記発光ダイオードとの間に空白部が設置された光源モジュール。
【請求項３】
複数の前記第１光吸収部のそれぞれは、コーティング構造を有するものであり、又は複数の網点を配列してなるものである請求項１又は請求項２に記載の光源モジュール。
【請求項４】
前記光源モジュールは、それぞれ２つの隣接する前記第１光吸収部の間に設置された複数の第２光吸収部を更に備える請求項１ないし請求項３のいずれか一項に記載の光源モジュール。
【請求項５】
複数の前記第２光吸収部のそれぞれは、コーティング構造を有するものであり、又は、複数の網点を配列してなるものである請求項４に記載の光源モジュール。
【請求項６】
前記光吸収部の色は、黒色又は灰色又は黒色と灰色の組み合わせである請求項１ないし請求項５のいずれか一項に記載の光源モジュール。
【請求項７】
前記光吸収部の輪郭形状は、三角形又は矩形又は半円形である請求項１ないし請求項６のいずれか一項に記載の光源モジュール。
【請求項８】
前記第１光吸収部の光吸収能力は、前記第２光吸収部の光吸収能力よりも大きい請求項４に記載の光源モジュール。
【請求項９】
前記第１光吸収部の光吸収能力は、前記第２光吸収部の光吸収能力よりも小さい請求項４に記載の光源モジュール。
【請求項１０】
複数の前記第１光吸収部と複数の前記第２光吸収部における前記第１側から前記第２側に向かって伸ばした距離は、前記第１側と前記第２側との距離の半分よりも小さい請求項４に記載の光源モジュール。
【発明の詳細な説明】
【技術分野】
【０００１】
本発明は、光源ユニットに関し、特に光源モジュールに関する。
【背景技術】
【０００２】
従来のバックライトモジュールは、主にライトバー及び導光板を備える。ライトバーは、回路基板及び回路基板の表面に設置された発光ダイオードを含む。発光ダイオードの光出射面は、回路基板の表面に垂直となる。導光板は、発光ダイオードの傍に設置され、且つ導光板の光入射面が発光ダイオードの光出射面に貼り合わされることにより、効果的に発光ダイオードの光線を利用することができる。
【発明の概要】
【発明が解決しようとする課題】
【０００３】
しかしながら、導光板の光入射面が発光ダイオードの光出射面に貼り合わされるため、導光板の発光ダイオードに近接する部分に、明帯又は輝度むらという問題が起こりやすく、導光板の光学的外観に重大な影響を与える。この問題を解決するために、一般的な方法は、直接回路基板全体の表面に黒を塗ることにより、発光ダイオードの一部による光線が、黒塗り部分に吸収されるようにする。この方法は、明帯の発生を減少することができるが、バックライトモジュール全体の輝度も減少する。
【課題を解決するための手段】
【０００４】
このため、本発明の目的は、上記問題を解決するために、光源モジュールを提供することにある。
【０００５】
本発明の前記目的によれば、対向する第１側及び第２側を有するフレキシブル回路基板と、フレキシブル回路基板に設置され第１側に近接する複数の発光ダイオードと、フレキシブル回路基板に設置され第２側に近接する複数の第１光吸収部と、を備え、第１光吸収部の位置がそれぞれ発光ダイオードの位置とずらして設置される光源モジュールを提出する。
【０００６】
本発明の一実施例によれば、前記複数の第１光吸収部のそれぞれは、コーティング構造を有するものであり、又は複数の網点を配列してなるものである。
【０００７】
本発明の前記目的によれば、対向する第１側及び第２側を有するフレキシブル回路基板と、フレキシブル回路基板に設置され且つ第１側に近接する複数の発光ダイオードと、フレキシブル回路基板に設置され第２側に近接する複数の第１光吸収部と、を備え、複数の第１光吸収部のそれぞれの位置が複数の発光ダイオードのそれぞれと１対１に対応する他の光源モジュールを提出する。
【０００８】
本発明の一実施例によれば、前記複数の第１光吸収部のそれぞれは、複数の網点を配列してなるものである。
【０００９】
本発明の別の実施例によれば、前記光源モジュールは、それぞれ２つの隣接する第１光吸収部の間に設置された複数の第２光吸収部を更に備える。
【００１０】
本発明の更に他の実施例によれば、前記複数の第２光吸収部のそれぞれは、コーティング構造を有するものであり、又は複数の網点を配列してなるものである。
【００１１】
本発明の更に１つの実施例によれば、前記光吸収部の色は、黒色、灰色、又は黒色と灰色の組み合わせである。
【００１２】
本発明の更に１つの実施例によれば、前記光吸収部の輪郭形状は、三角形、矩形又は半円形である。
【００１３】
本発明の更に１つの実施例によれば、前記第１光吸収部の光吸収能力は、第２光吸収部の光吸収能力と等しい。
【００１４】
本発明の更に１つの実施例によれば、前記第１光吸収部の光吸収能力は、第２光吸収部の光吸収能力よりも大きい。
【００１５】
本発明の更に１つの実施例によれば、前記第１光吸収部の光吸収能力は、第２光吸収部の光吸収能力よりも小さい。
【００１６】
本発明の更に１つの実施例によれば、前記複数の第１光吸収部と複数の第２光吸収部のそれぞれの頂端から前記第２側までの距離は、第１側と第２側との間の距離の半分よりも小さい。
【００１７】
本発明の更に１つの実施例によれば、前記光源モジュールは、第１光吸収部と発光ダイオードとの間に設置された空白部を備える。
【発明の効果】
【００１８】
以上から分かるように、本発明は、光吸収部を利用して発光ダイオードから発光された光線の一部を吸収し、同時に空白部を利用して光線の一部を反射する。それにより、本発明の光源モジュールは、バックライトモジュールに応用される際、導光板の光入射面に近接する部分に明帯が現れる問題を避けることができ、且つ導光板が高い光学的輝度を表現するようにする。
【図面の簡単な説明】
【００１９】
下記図面の説明は、本発明の前記、他の目的、特徴、メリット及び実施例をより分かりやすくするためのものである。
【図１Ａ】本発明の第１実施形態による光源モジュールを示す斜視模式図である。
【図１Ｂ】本発明の第１実施形態による光源モジュールを示す上面図である。
【図１Ｃ】本発明の第１実施形態による光源モジュールを示す使用状態の模式図である。
【図１Ｄ】本発明の第１実施形態による光源モジュールを示す使用状態の側面図である。
【図１Ｅ】本発明の第１実施形態による光源モジュールを示す他の使用状態の模式図である。
【図１Ｆ】本発明の第１実施形態によるバックライトモジュールを示す装置模式図である。
【図２】本発明の第１実施形態による第１光吸収部を示す構造模式図である。
【図３Ａ】本発明の第１実施形態による光源モジュールを示す上面図である。
【図３Ｂ】本発明の第１実施形態による光源モジュールを示す上面図である。
【図４Ａ】本発明の第２実施形態による光源モジュールを示す上面図である。
【図４Ｂ】本発明の第２実施形態による光源モジュールを示す上面図である。
【図５Ａ】本発明の第３実施形態による光源モジュールを示す上面図である。
【図５Ｂ】本発明の第３実施形態による光源モジュールを示す使用状態図である。
【図６Ａ】本発明の第３実施形態による第１光吸収部を示す構造模式図である。
【図６Ｂ】本発明の第３実施形態による第１光吸収部を示す構造模式図である。
【図６Ｃ】本発明の第３実施形態による第１光吸収部を示す構造模式図である。
【図７Ａ】本発明の第４実施形態による光源モジュールを示す上面図である。
【図７Ｂ】本発明の第４実施形態による光源モジュールを示す上面図である。
【発明を実施するための形態】
【００２０】
図１Ａ及び図１Ｂを参照されたい。図１Ａ及び図１Ｂは、それぞれ本発明の第１実施形態による光源モジュールを示す斜視模式図及び上面図である。本実施例において、光源モジュール１００は、バックライトモジュール又はランプに応用される。光源モジュール１００は、フレキシブル回路基板１０２と、複数の発光ダイオード１０４と、第１光吸収部１０６を含んでもよい複数の光吸収部と、を備える。フレキシブル回路基板１０２は、対向する第１側１０２ａ及び第２側１０２ｂを有する。発光ダイオード１０４は、フレキシブル回路基板１０２に設置され第１側１０２ａに近接する。これらの発光ダイオード１０４は、フレキシブル回路基板１０２と電気的に接続される。第１光吸収部１０６は、フレキシブル回路基板１０２に設置され第２側１０２ｂに近接する。換言すれば、発光ダイオード１０４と第１光吸収部１０６は、それぞれフレキシブル回路基板１０２の対向する両側に近接する。第１光吸収部１０６は、主に発光ダイオード１０４から発光された光線の一部を吸収するためのものである。
【００２１】
図１Ａ及び図１Ｂに示すように、第１光吸収部１０６と発光ダイオード１０４との間に空白部１０８を有し、即ち、第１光吸収部１０６が直接発光ダイオード１０４の発光面１０４ａに接触しない。それにより、発光ダイオード１０４から発光された光線の一部は、空白部１０８に反射されることができる。なお、複数の第１光吸収部１０６のそれぞれの頂端から第２側１０２ｂまでの距離Ｄ１は、第１側１０２ａと第２側１０２ｂとの間の距離Ｄ２の半分よりも小さい。
【００２２】
図１Ｃ及び図１Ｄをともに参照されたい。図１Ｃ及び図１Ｄは、それぞれ本発明の第１実施形態による光源モジュールを示す使用状態の模式図及び使用状態の側面図である。本実施例の光源モジュール１００がバックライトモジュールに応用される際、光源モジュール１００は、導光板２００の光入射面２００ａに近接する側に設置され、且つ発光ダイオード１０４の発光面１０４ａが導光板２００の光入射面２００ａに貼り合わされてもよい。一実施例において、導光板２００の発光ダイオード１０４に近接する部分は、フレキシブル回路基板１０２に設置され、且つ第１光吸収部１０６に重ね合わせる。図１Ｃ及び図１Ｄに示す実施例によるフレキシブル回路基板１０２は、導光板２００の下方に設置される。更に図１Ｅを参照されたい。図１Ｅは、本発明の第１実施形態による光源モジュールの別の使用状態を示す模式図である。他の実施例において、フレキシブル回路基板１０２は、要求に応じて導光板２００の上方に設置されてもよい。注意すべきなのは、フレキシブル回路基板１０２が導光板２００の上方又は下方のいずれかに設置されても、光源モジュール１００の第１光吸収部１０６と空白部１０８は、いずれも導光板２００の表面に向かっている。
【００２３】
図１Ｆを参照されたい。図１Ｆは、本発明の第１実施形態によるバックライトモジュールを示す装置模式図である。本実施形態において、バックライトモジュール２０１は、主にフレーム２０２と、前記光源モジュール１００と、導光板２００と、を備える。光源モジュール１００及び導光板２００は、フレーム２０２に設置される。且つ、光源モジュール１００のフレキシブル回路基板１０２が導光板２００の下方に設置され、発光ダイオード１０４が導光板２００の光入射面２００ａに近接する側に設置される。導光板２００の光入射面２００ａに近接する上方に反射シート２０３が設けられ、導光板２００の底面及び光出射面にそれぞれ他の反射シート２０４及び光学フィルム２０５が設けられる。なお、本実施例において、フレーム２０２の底面２０２ａに折り部２０２ｂを有することにより、底面２０２ａに異なる高低差を持たせて、フレキシブル回路基板１０２と反射シート２０４の異なる厚さの設計を満たすようにし、それにより導光板２００の光入射面２００ａを発光ダイオード１０４の光出射面１０４ａに位置合わせることができる。
【００２４】
なお、図１Ｃに示すように、本実施例において、複数の発光ダイオード１０４のそれぞれから発光された光線１０５は、発散するように導光板２００に入射され、このため、２つの隣接する発光ダイオード１０４から射出された光線１０５の重なり箇所が非常に明るくなる。このため、第１光吸収部１０６は、発光ダイオード１０４とずらしている位置に設置されてもよい。それにより、発光ダイオード１０４の光出射面１０４ａのその前方向から射出された光線１０５を、直接に導光板２００の光入射面２００ａから導光板２００に入射させることができる。発光ダイオード１０４の側方から射出された光線において、第１光吸収部１０６を通過する光線の一部が第１光吸収部１０６に吸収され、且つ空白部１０８を通過する光線の一部が反射されて導光板２００に入射される。それにより、導光板２００が表現する光学的輝度の確保に加え、更に導光板２００の光入射面２００ａに近接する部分が明帯が現れる問題を避けることができる。
【００２５】
続いて、図１Ａ〜図１Ｃを参照されたい。第１光吸収部１０６は、主に塗装又は印刷により形成されたコーティング構造を有する。且つ、コーティング構造の色は、発光ダイオード１０４の発光強度により黒色、灰色、又は灰色から黒色までのグラデーション色に設計されてもよい。黒色のコーティング構造は、発光ダイオード１０４から発光された光線の一部を吸収することができ、灰色のコーティング構造は、発光ダイオード１０４から発光された光線の吸収及び反射をともに達成することができる。注意すべきなのは、前記灰色は、例えば薄い灰色、濃い灰色などの各種の灰色を含む。異なる濃淡度の灰色、又は灰色から黒色までのグラデーション色のコーティング構造は、異なる発光ダイオード１０４と異なる導光板２００の構造設計に対する要求を満たすことができる。
【００２６】
図１Ａ〜図１Ｃの実施例において、第１光吸収部１０６は、異なる構造設計を有してもよい。図２をともに参照されたい。図２は、本発明の第１実施形態による第１光吸収部を示す模式図である。図２に示す実施例において、第１光吸収部１０６ａは、複数の網点Ａ１を配列してなるものであってもよい。網点Ａ１の色は、同様に発光ダイオード１０４の発光強度により黒色、灰色、又は黒色と灰色の組み合わせに設計されてもよい。且つ、網点Ａ１の配列方法、疎密度、サイズ及び色の濃淡は、いずれも光源モジュール１００の設計要求に応じて変化してもよい。
【００２７】
本発明において、光源モジュール１００は、上記実施例と異なる設計を有してもよい。図３Ａを参照されたい。図３Ａは、本発明の第１実施形態による他の光源モジュールを示す上面図である。本実施例において、光源モジュール１１０の構造は、ほぼ前記実施例の光源モジュール１００と同じであり、差別は、第１光吸収部１０６ｂが異なる形状設計を有することのみにある。図３Ａに示すように、第１光吸収部１０６ｂの形状は、半円形である。
【００２８】
更に、図３Ｂを参照されたい。図３Ｂは、本発明の第１実施形態による別の光源モジュールを示す上面図である。本実施例において、光源モジュール１２０の構造は、ほぼ前記実施例の光源モジュール１００と同じであり、差異は、第１光吸収部１０６ｃが異なる形状設計を有することのみにある。図３Ｂに示すように、第１光吸収部１０６ｃの形状は、三角形である。同様に、図３Ａ及び図３Ｂに示す実施例の第１光吸収部１０６ｂ及び１０６ｃは、塗装又は印刷により形成されたコーティング構造を有してもよく、又は複数の網点を配列してなるものであってもよい。
【００２９】
同時に図４Ａ及び図４Ｂを参照されたい。図４Ａ及び図４Ｂは、それぞれ本発明の第２実施形態による２種の光源モジュールを示す上面図である。図４Ａに示す実施形態において、光源モジュール３００の構造は、ほぼ前記実施例の光源モジュール１００と同じであり、差異は、本実施例の光源モジュール３００の光吸収部が第１光吸収部１０６に加え、更に複数の第２光吸収部１０７を備えることのみにある。第２光吸収部１０７は、それぞれ２つの隣接する第１光吸収部１０６の間に設置される。図４Ａの実施例において、第１光吸収部１０６と第２光吸収部１０７は、異なるコーティング構造を有する。換言すれば、コーティング構造の設計において、第１光吸収部１０６と第２光吸収部１０７は、発光ダイオード１０４から射出された光線の方向又は強度により異なる色又は色の濃淡を設計されてもよい。例えば、第１光吸収部１０６は、黒色塗布層又は濃色塗布層であってもよく、また、第２光吸収部１０７は、灰色塗布層又は淡色塗布層であってもよい。それにより、第１光吸収部１０６と第２光吸収部１０７は、異なる光吸収能力を有してもよく、例えば第１光吸収部１０６の光吸収能力が第２光吸収部１０７の光吸収能力よりも大きく、又は第２光吸収部１０７の光吸収能力が第１光吸収部１０６の光吸収能力よりも大きい。
【００３０】
一方、図４Ｂに示す実施形態において、光源モジュール３１０の構造は、ほぼ前記実施例の光源モジュール３００と同じであり、差異は、本実施例の第１光吸収部１０６と第２光吸収部１０７が同じコーティング構造を有することにあり、それにより、第１光吸収部１０６と第２光吸収部１０７に同じ光吸収能力を持たせることができる。本実施例において、第１光吸収部１０６と第２光吸収部１０７は、一体に接続されたコーティング構造になされる。なお、このコーティング構造においては、黒色、灰色、又は第１側１０２ａから第２側１０２ｂへの方向に沿う灰色から黒色までのグラデーション色であってもよい。
【００３１】
図５Ａ及び図５Ｂを参照されたい。図５Ａ及び図５Ｂは、それぞれ本発明の第３実施形態による光源モジュールを示す上面図及び使用状態図である。本実施例において、光源モジュール４００は、フレキシブル回路基板４０２と、複数の発光ダイオード４０４と、第１光吸収部４０６を含んでもよい複数の光吸収部と、を備える。フレキシブル回路基板４０２は、対向する第１側４０２ａ及び第２側４０２ｂを有する。発光ダイオード４０４は、フレキシブル回路基板４０２に設置され第１側４０２ａに近接する。これらの発光ダイオード４０４は、フレキシブル回路基板４０２と電気的に接続される。第１光吸収部４０６は、フレキシブル回路基板４０２に設置され第２側４０２ｂに近接する。
【００３２】
図５Ｂに示すように、本実施例の光源モジュール４００がバックライトモジュールに応用される際、導光板５００の発光ダイオード４０４に近接する部分は、フレキシブル回路基板４０２に設置され、且つ第１光吸収部４０６に重ね合わせる。且つ、本実施例において、複数の発光ダイオード４０４のそれぞれは、その前方向へ発光する。このため、第１光吸収部４０６は、発光ダイオード４０４から射出された光線の一部４０５を吸収するように、光ダイオード４０４に対応する位置に設置されてもよい。図５Ｂに示すように、第１光吸収部４０６と発光ダイオード４０４との間に空白部４０８を有する。空白部４０８は、主に光線を反射して、発光ダイオード４０４から発光された光線４０５又は導光板５００の底面から射出された光線を導光板５００に反射し戻すためのものであってもよい。一実施例において、複数の第１光吸収部４０６のそれぞれの頂端から第２側４０２ｂまでの距離Ｄ３は、第１側４０２ａと第２側４０２ｂとの間の距離Ｄ４の半分よりも小さい。
【００３３】
同時に図５Ａ、図５Ｂ及び図６Ａを参照されたい。図６Ａは、本発明の第３実施形態による第１光吸収部を示す構造模式図である。本実施形態において、第１光吸収部４０６は、複数の網点Ａ２を配列してなるものである。網点Ａ２の色は、同様に、発光ダイオード４０４の発光強度により黒色、灰色、又は黒色と灰色の組み合わせに設計されてもよい。且つ、網点Ａ２の配列方法、疎密度、サイズ及び色の変化は、いずれも光源モジュール４００の設計要求により変化してもよい。他の実施例において、第１光吸収部４０６は、塗装又は印刷により形成されたコーティング構造を有してもよい。
【００３４】
図５Ａの実施例において、第１光吸収部４０６は、異なる構造設計を有してもよい。図６Ｂ〜図６Ｃをともに参照されたい。図６Ｂ〜図６Ｃは、それぞれ本発明の第３実施形態による他の２種の第１光吸収部を示す構造模式図である。図６Ｂに示す実施例において、第１光吸収部４０６ａは、同様に複数の網点Ａ３を配列してなるものであり、且つ輪郭が半円形である。図６Ｃに示す実施例において、第１光吸収部４０６ｂは、同様に複数の網点Ａ４を配列してなるものであり、且つ輪郭が三角形である。
【００３５】
同時に図７Ａ及び図７Ｂを参照されたい。図７Ａ及び図７Ｂは、本発明の第４実施形態による２種の光源モジュールを示す上面図である。図７Ａに示す実施形態において、光源モジュール６００の構造は、ほぼ前記実施例の光源モジュール４００と同じであり、差異は、本実施例の光源モジュール６００の光吸収部に、第１光吸収部４０６に加え、更に複数の第２光吸収部４０７を備えることのみにある。第２光吸収部４０７は、それぞれ２つの隣接する第１光吸収部４０６の間に設置される。一実施例において、第２光吸収部４０７は、塗装又は印刷により形成されたコーティング構造を有してもよく、又は複数の網点を配列してなるものであってもよい。
【００３６】
図７Ａの実施例において、第１光吸収部４０６と第２光吸収部４０７は、それぞれ異なる網点Ａ２及びＡ５を配列してなるものである。且つ、第１光吸収部４０６と第２光吸収部４０７の網点Ａ２及びＡ５のサイズ、色又は配列方法は、発光ダイオード４０４から射出された光線の方向又は強度に応じて設計されてもよい。例えば、第１光吸収部４０６は、黒色網点又は濃色網点を配列してなるものであってもよく、第２光吸収部４０７は、灰色網点又は淡色網点を配列してなるものであってもよい。他の例において、第１光吸収部４０６は、サイズが大きい網点又は配列が密な網点を配列してなるものであってもよく、第２光吸収部４０７は、サイズが小さい網点又は配列が疎な網点を配列してなるものであってもよい。それにより、第１光吸収部４０６と第２光吸収部４０７は、異なる光吸収能力を有してよく、例えば、第１光吸収部４０６の光吸収能力が第２光吸収部４０７の光吸収能力よりも大きく、又は第２光吸収部４０７の光吸収能力が第１光吸収部４０６の光吸収能力よりも大きいようにしてもよい。
【００３７】
図７Ｂに示すように、図７Ｂに示す実施形態において、光源モジュール６１０の構造は、ほぼ前記実施例の光源モジュール６００と同じであり、差異は、本実施例の第１光吸収部４０６と第２光吸収部４０７が同じ網点Ａ２を配列してなるものであることにあり、それにより、第１光吸収部４０６と第２光吸収部４０７に同じ光吸収能力を持たせることができる。同様に、これらの網点Ａ２の配列方法、疎密度、サイズ及び色の濃淡は、いずれも光源モジュール６１０の設計要求に従って変化してもよい。例えば、第１側４０２ａに近接する網点Ａ２の色は、灰色であってもよく、第２側４０２ｂに近接する網点Ａ２の色は、黒色であってもよい。
【００３８】
上記本発明の実施形態から分かるように、本発明において、第１光吸収部を利用して発光ダイオードから発光された光線の一部を吸収し、同時に空白部を利用して光線の一部を反射する。それにより、本発明の光源モジュールは、バックライトモジュールに応用される際、導光板の光入射面に近接する部分に明帯が現れる問題を避けることができ、且つ導光板が高い光学的輝度を表現するようにすることができる。
【００３９】
上記本発明の実施形態から分かるように、本発明は、各種の実際的な使用要求を満たすために、発光ダイオードから発光された光線方向又は強度により第１光吸収部の設置位置を改変して又は別途に第２光吸収部を設置してもよい。なお、第１光吸収部又は第２光吸収部の色、種類又は形態を改変することにより、いずれも導光板に明帯が現れる問題の改善を達成することができる。
【００４０】
本発明の実施形態を前述の通りに開示したが、これは、本発明を限定するものではなく、当業者であれば、本発明の精神と範囲から逸脱しない限り、多様の変更や修正を加えることができ、したがって、本発明の保護範囲は、後の特許請求の範囲で指定した内容を基準とするものである。
【符号の説明】
【００４１】
１００、１１０、１２０、３００、３１０、４００、６００、６１０  光源モジュール
１０２、４０２  フレキシブル回路基板
１０２ａ、４０２ａ  第１側
１０２ｂ、４０２ｂ  第２側
１０４、４０４  発光ダイオード
１０４ａ、４０４ａ  光出射面
１０５、４０５  光線
１０６、１０６ａ、１０６ｂ、１０６ｃ、４０６、４０６ａ、４０６ｂ  第１光吸収部
１０７、４０７  第２光吸収部
１０８、４０８  空白部
２００、５００  導光板
２００ａ、５００ａ  光入射面
２０１  バックライトモジュール
２０２  フレーム
２０２ａ  底面
２０２ｂ  折り部
２０３、２０４  反射シート
２０５  光学フィルム
Ａ１、Ａ２、Ａ３、Ａ４、Ａ５  網点
Ｄ１、Ｄ２、Ｄ３、Ｄ４  距離
【図１Ａ】
0005898752.tif 000002
【図１Ｂ】
0005898752.tif 000003
【図１Ｃ】
0005898752.tif 000004
【図１Ｄ】
0005898752.tif 000005
【図１Ｅ】
0005898752.tif 000006
【図１Ｆ】
0005898752.tif 000007
【図２】
0005898752.tif 000008
【図３Ａ】
0005898752.tif 000009
【図３Ｂ】
0005898752.tif 000010
【図４Ａ】
0005898752.tif 000011
【図４Ｂ】
0005898752.tif 000012
【図５Ａ】
0005898752.tif 000013
【図５Ｂ】
0005898752.tif 000014
【図６Ａ】
0005898752.tif 000015
【図６Ｂ】
0005898752.tif 000016
【図６Ｃ】
0005898752.tif 000017
【図７Ａ】
0005898752.tif 000018
【図７Ｂ】
0005898752.tif 000019